(57)【要約】【解決手段】特に超音波溶接デバイスのための加工物容器は、加工物を受けるための受入要素(10)を備えている。受入要素(10)は基部要素(16)に対して移動可能である。このために受入要素(10)と基部要素(16)との間に軸受装置(20)が配置されている。軸受装置(20)は互いに対向する球面(28, 32)を有している。
2018524180.tif 000002
【特許請求の範囲】
【請求項１】
加工物を受けるための受入要素(10)と、
前記受入要素(10)を移動可能に受ける基部要素(16)と、
前記受入要素(10)と前記基部要素(16)との間の移動を可能にする軸受手段(20)と、
前記受入要素(10)と連結された軸受カップ(26)と、
前記基部要素(16)と連結された軸受カップ(30)と
を備えており、
前記軸受カップ(26, 30)は両方共、球面(28, 32)を有していることを特徴とする加工物容器。
【請求項２】
２つの前記球面(28, 32)は互いに対して同心円状に配置されており、特に同一の中心(34)を有していることを特徴とする請求項１に記載の加工物容器。
【請求項３】
加工面、特に溶接面(36)が共通の前記中心(34)を通過していることを特徴とする請求項２に記載の加工物容器。
【請求項４】
２つの前記軸受カップ(26, 30)間に球体(22)が設けられていることを特徴とする請求項１〜３のいずれか一項に記載の加工物容器。
【請求項５】
前記球体(22)は軸受保持器(24)によって保持されていることを特徴とする請求項４に記載の加工物容器。
【請求項６】
前記球体(22)は、特に前記軸受保持器(24)のため等間隔に配置されていることを特徴とする請求項４又は５に記載の加工物容器。
【請求項７】
前記基部要素(16)に対して前記受入要素(10)を固定するための固定要素(38)を更に備えていることを特徴とする請求項１〜６のいずれか一項に記載の加工物容器。
【請求項８】
前記固定要素(38)は、前記受入要素を固定するように前記基部要素(16)に対して前記受入要素(10)に張力を加えるための張力要素(44, 46, 48)を有していることを特徴とする請求項７に記載の加工物容器。
【請求項９】
前記受入要素(10)に加工物支持体を保持するための保持要素を更に備えていることを特徴とする請求項１〜８のいずれか一項に記載の加工物容器。
【請求項１０】
加工面、特に溶接面(36)が２つの前記球面(28, 32)の中心(34)を通過するように、加工物を調節するための調節要素を更に備えていることを特徴とする請求項２〜９のいずれか一項に記載の加工物容器。
【請求項１１】
前記調節要素は加工物の移動を可能にすることを特徴とする請求項１０に記載の加工物容器。
【請求項１２】
超音波溶接デバイスと、
請求項１〜１１のいずれか一項に記載の加工物容器と、
前記加工物容器(10)に配置される加工物に対して前記超音波溶接デバイスを移動させるための閉鎖装置と
を備えていることを特徴とする溶接装置。
【発明の詳細な説明】
【技術分野】
【０００１】
本発明は、加工物容器に関する。加工物容器は、特に押付及び穿孔などの加工物の加工のために加工物を位置的に正確に受けるために特に適している。本発明の加工物容器は、超音波溶接デバイスに特に適している。
【発明の概要】
【発明が解決しようとする課題】
【０００２】
超音波溶接デバイスはプラスチック部品を接合するために使用される。超音波溶接デバイスを使用して２つのプラスチック部品を特に密に溶接するために、溶接によって接合される２つの部品が非常に正確に互いに面平行に並んでいる必要がある。既知の装置を使用して２つの部品を並べることが可能であるが、非常に複雑である。特に、１つの部品を夫々装置に個々に並べなくてはならない。
【０００３】
加工物の正確な配列は他の加工装置でも望まれている。特に、押付及び穿孔でも加工物の正確な配列は有利である。
【０００４】
本発明は、例えば溶接によって接合される部品、穿孔される部品又は押し付けられる部品の正確な配列を簡単に可能にする、加工物容器を提供することを目的とする。
【課題を解決するための手段】
【０００５】
前記目的は、本発明によれば請求項１の特徴により達成される。
【０００６】
本発明の加工物容器は、例えば部品の溶接、穿孔又は押付のために加工物を正確に受けて並べることに適している。
【０００７】
本発明の加工物容器を、明確化のために超音波溶接デバイスに関連して以下により詳細に説明する。
【０００８】
本発明の加工物容器は、加工物を受けるための受入要素を備えている。例えば、溶接される２つの部品の一方をこの受入要素に配置することが可能であり、又は溶接される部品の両方をこの受入要素に予め配置することが可能である。特に２つの部品を、受入要素と連結された保持装置及び／又は締付装置を用いて固定してもよい。溶接される少なくとも１つの部品を並べるために、受入要素は基部要素によって受け入れられているか又は支持されている。基部要素自体は静止していることが好ましい。受入要素が基部要素に対して移動可能であるように、軸受手段が基部要素と受入要素との間に配置されている。そのため、受入要素、ひいては受入要素によって支持される少なくとも１つの加工物を並べることが可能である。本発明によれば、受入要素は軸受カップと連結されており、軸受カップ及び受入要素は更に単体として形成されてもよい。特に、受入要素の外側が軸受カップを形成している。対応して、基部要素も軸受カップと連結されており、基部要素及び軸受カップはここでも単体として形成されてもよく、基部要素の外側が軸受カップを形成していることが特に好ましい。本発明によれば、２つの軸受カップは球面を有している。従って、本発明の加工物容器を使用して、受入要素に支持される少なくとも１つの加工物を空間的に並べることが可能であり、このような配列は単一の加工物容器を使用して行われる。従来の加工物容器とは対照的に、２つの軸芯によって並べる必要がない。２つの軸芯による配列はかなり複雑である。
【０００９】
軸受カップの２つの球面は互いに対して同心円状に配置されていることが好ましい。特に、２つの軸受カップ又は２つの軸受カップの２つの球面は同一の中心を有している。溶接面が共通の中心を通って延びているように、溶接される少なくとも１つの加工物を受入要素に配置することが特に好ましい。例えば、中空の円筒体が蓋に溶接される場合、この場合には特に環状である溶接表面が溶接面を形成し、溶接表面が球面の共通の中心を通って延びていることが好ましい。環状の溶接表面の中心が球面の共通の中心と一致するように、溶接される加工物が配置されることが特に好ましい。このとき、蓋のような第２の加工物を円筒体に配置することが可能である。例えば、超音波溶接デバイスを蓋に下げると、溶接によって接合される２つの部品が自動的に並べられる。
【００１０】
球体が２つの軸受カップ間に配置されていることが好ましい。球体の代わりに、グリース又は別の潤滑剤を設けることが更に可能である。更に、軸受は滑り軸受として構成されることができ、玉軸受として構成されていることが好ましい。
【００１１】
更に、球体が定められた相互距離で配置されていることが好ましい。特に球体を一定の相互距離で保持する軸受保持器が設けられていることが好ましい。球体が好ましく等間隔で配置されているため、基部要素に対する受入要素の均一な移動が保証される。
【００１２】
溶接デバイスを下げる又は押し付けることにより、溶接面が自動的に並べられ得るが、基部要素に対して受入要素を固定するための固定要素を更に設けることが好ましい。固定は締付などによって行われてもよい。固定要素は、溶接工程中の移動を防ぐ機能を果たす。同様に、固定要素を使用して加工物を意図的に傾けることが可能である。固定要素は、例えば、固定のために励磁される電磁石を有してもよい。このような構成には、機械的な固定要素を設ける必要がないという利点がある。機械的な固定要素が設けられている場合、意図的ではない調節が行われ得る場合がある。尚、簡単な実施形態では、固定要素は、特にはレバー要素を介して張力を加えられてもよい張力要素を有してもよい。
【００１３】
本発明の特に好ましい展開例では、調節要素が設けられている。調節要素は、溶接面が２つの球面の中心を通って延びているように加工物を調節する機能を果たす。従って、調節要素を使用することにより、同一の加工物容器を用いて異なる加工物を正確に調節することが可能になる。この点について、溶接される加工物に応じて、夫々の加工物に特有の調節要素が設けられ得る。調節要素は一種の更なる容器に相当する。調節要素は受入要素に配置され、加工物を受ける機能を果たす。尚、代替案として、例えば加工物の水平方向の移動を可能にする調節要素を設けることが更に可能である。
【００１４】
本発明は、溶接デバイス及び加工物容器を備えた溶接装置に更に関し、加工物容器は上述された、特に有利に展開された加工物容器である。更に、加工物容器に配置される加工物に対して溶接デバイスを移動させるための閉鎖装置が設けられている。この場合、溶接によって接合される表面が互いに平行であるように、特に自動的な配列が行われてもよい。
【００１５】
特に好ましい展開例を更に参照した上記の加工物容器は、超音波溶接デバイスに適しているだけでなく、加工物を加工するための他の装置にも適している。特に、加工物容器は押付装置又は穿孔装置に適している。
【００１６】
本発明を、好ましい実施形態及び添付図面を参照して以下に更に詳細に説明する。
【図面の簡単な説明】
【００１７】
【図１】特に溶接装置だけでなく、加工物の加工のための他の装置にも適した加工物容器を示す概略断面図である。
【発明を実施するための形態】
【００１８】
図１に示されている加工物容器は、加工物を受けるための受入要素10を備えている。ここで、加工物は受入要素10に、例えば特に調節する機能を果たす凹部12に配置され得る。例えば受入要素10の上面14に締付装置及び／又は保持装置を設けることが更に可能である。受入要素10は基部要素16に対して移動可能である。図示された実施形態では、基部要素16は枠要素18に支持されて静止している。受入要素と基部要素との間の移動を可能にするために、軸受手段20が設けられている。図示された実施形態では、軸受手段20は複数の球体22を有している。球体22は、受入要素10と基部要素16との間に規則的に分散している、つまり等間隔に配置されている。このために、図示された実施形態では軸受保持器24が設けられている。軸受手段を形成するために、図１に示されているように、受入要素10の下側を球面28として成形することにより、受入要素10の下側が軸受カップ26として構成されている。軸受カップ26に対向する基部要素16の部分が軸受カップ30として構成されている。球面28の方を向いた表面32も球面として構成されている。軸受カップの表面を形成している２つの球面28, 32は、互いから一定の距離に設けられている。特に、２つの球面28, 32は同一の中心34を有している。
【００１９】
２つの加工物を溶接するために、２つの加工物を受入要素の上面14に配置することが可能であり、例えば固定してもよく、又は保持してもよい。尚、加工物の溶接面が２つの球面28, 32の共通の中心34を通過する面36にあるように、加工物を配置することが好ましい。従って、特に溶接される加工物に溶接デバイスを上方から下げることにより、溶接される部品が特に溶接面36に面平行に自動的に、つまり機械的に並ぶことが可能である。
【００２０】
更に、基部要素16に対して受入要素10を、ひいては受入要素10に配置される加工物をも固定することが可能である。このような固定は、例えば電磁石などを有する固定要素によって行われ得る。図示された実施形態に示されているように、保持要素38を設けることが可能である。図示された実施形態では、保持要素38は、基部要素16の下側42に位置する隣接要素40を有している。ねじ棒46に配置されたナット48と連結されたレバー44を使用して、基部要素16に対する受入要素10の締付固定が行われ得る。
2018524180.tif 000003
【国際調査報告】
2018524180.tif 000004
2018524180.tif 000005
2018524180.tif 000006
2018524180.tif 000007
2018524180.tif 000008
2018524180.tif 000009